(57)【要約】【課題】低音を再生できるスピーカボックスにおいて、箱鳴りを利用する単純構造とし、作業負担及び製造コストを低減することを目的とする。【解決手段】スピーカ１は、略筺形のスピーカボックス２と、スピーカユニット３とを備えている。スピーカボックス２は、横置き四角筒状のキャビネット４と、キャビネット４の両側の開口部４ａに設けられた皮革膜５とを有している。また、キャビネット４の下面には４本の脚６が設けられている。さらに、４本の脚６の下端には台座７が設けられている。【選択図】  図1
2006093979.tif 000002
【特許請求の範囲】
【請求項１】
スピーカボックスとスピーカユニットとを備えたスピーカであって、
前記スピーカボックスは、キャビネットと、振動膜とを有し、
前記キャビネットには開口部が設けられ、
前記振動膜は前記開口部に設けられている
ことを特徴とするスピーカ。
【請求項２】
前記開口部は複数であり、
前記振動膜は複数枚であり、
前記各振動膜のうち少なくとも２枚が互いに平行をなす
ことを特徴とする請求項１記載のスピーカ。
【請求項３】
前記キャビネットは取付孔を有し、
前記スピーカユニットは振動板を有し、
前記取付孔に、前記振動板が、外向きに設けられ、
前記振動膜は前記振動板の振動方向と平行に設けられている
ことを特徴とする請求項１又は請求項２に記載のスピーカ。
【請求項４】
前記キャビネットの前記取付孔を有する面には、脚が設けられ、
前記脚には台座が設けられている 
ことを特徴とする請求項１乃至請求項３のいずれかに記載のスピーカ。
【請求項５】
前記振動膜は皮革から成る
ことを特徴とする請求項１乃至請求項４のいずれかに記載のスピーカ。
【請求項６】
前記振動膜は紙材から成る
ことを特徴とする請求項１乃至請求項５のいずれかに記載のスピーカ。
【請求項７】
請求項１乃至請求項６のいずれかに記載のスピーカを備えた
ことを特徴とするオーディオ装置。
【発明の詳細な説明】
【技術分野】
【０００１】
本発明は、特に低周波数の音声等の再生に適したスピーカ及びオーディオ装置の技術に属する。
【背景技術】
【０００２】
従来、再生周波数の低域を拡張するため、スピーカユニットの振動板前面に音響室とパッシブラジエータを設置し、パッシブラジエータから外部空間へ音を放射するスピーカが提供されている。また、音波がスピーカボックス内で振動してしまう所謂“箱鳴り”を抑制するために吸音材を設けたスピーカが提供されている。
【特許文献１】特開平０９−２７１０９１
【特許文献２】特開平０５−１３７１８８
【発明の開示】
【発明が解決しようとする課題】
【０００３】
しかしながら、従来技術には以下に掲げる問題点があった。
スピーカボックスとは別にパッシブラジエータを設けるため作業負担が大きかった。また、箱鳴りを防ぐための吸音材が必要であり製造コストが高かった。
本発明は斯かる問題点を鑑みてなされたものであり、その目的とするところは、上記問題点を解決できる技術を提供する点にある。
【課題を解決するための手段】
【０００４】
本発明は上記課題を解決すべく、以下に掲げる構成とした。
請求項１記載の発明の要旨は、スピーカボックスとスピーカユニットとを備えたスピーカであって、前記スピーカボックスは、キャビネットと、振動膜とを有し、前記キャビネットには開口部が設けられ、前記振動膜は前記開口部に設けられていることを特徴とするスピーカに存する。
請求項２記載の発明の要旨は、前記開口部は複数であり、前記振動膜は複数枚であり、前記各振動膜のうち少なくとも２枚が互いに平行をなすことを特徴とする請求項１記載のスピーカに存する。
請求項３記載の発明の要旨は、前記キャビネットは取付孔を有し、前記スピーカユニットは振動板を有し、前記取付孔に、前記振動板が、外向きに設けられ、前記振動膜は前記振動板の振動方向と平行に設けられていることを特徴とする請求項１又は請求項２に記載のスピーカに存する。
請求項４記載の発明の要旨は、前記キャビネットの前記取付孔を有する面には、脚が設けられ、前記脚には台座が設けられていることを特徴とする請求項１乃至請求項３のいずれかに記載のスピーカに存する。
請求項５記載の発明の要旨は、前記振動膜は皮革から成ることを特徴とする請求項１乃至請求項４のいずれかに記載のスピーカに存する。
請求項６記載の発明の要旨は、前記振動膜は紙材から成ることを特徴とする請求項１乃至請求項５のいずれかに記載のスピーカに存する。
請求項７記載の発明の要旨は、請求項１乃至請求項６のいずれかに記載のスピーカを備えたことを特徴とするオーディオ装置に存する。
【発明の効果】
【０００５】
本発明は以上のように構成されているので、以下に掲げる効果を奏する。
スピーカボックスの開口部に振動膜を設けるという単純な構造により、低周波数の音声の再生が可能であるため、作業負担を軽減することができる。また、箱鳴りを利用する構成であるため吸音材を不要とし、製造コストを低くすることができる。
【発明を実施するための最良の形態】
【０００６】
以下、本発明の実施の形態を図面に基づいて詳細に説明する。
図１及び図２に示すように、本実施の形態にかかるスピーカ１は、略筺形のスピーカボックス２と、スピーカユニット３とを備えている。
スピーカボックス２は、横置き四角筒状のキャビネット４（図３に示す）と、キャビネット４の両側の開口部４ａに設けられた皮革膜５とを有している。
また、キャビネット４の下面には４本の脚６が設けられている。さらに、４本の脚６の下端には台座７が設けられている。
スピーカ１は、使用者から見て、図２に示すように両側の皮革膜５，５が左右に位置するように設置されている。
【０００７】
キャビネット４は、図３に示すように、横置き四角筒状に構成され、両側の開口部４ａ，４ａは正方形を成す。また、両側の開口部４ａ，４ａは互いに平行となるように形成されている。
キャビネット４は木材・パーティクルボード・ＭＤＦ（中質繊維板）等から形成されており、容積は５０リットルである。
キャビネット４の下面の中心にはスピーカユニット３を取り付けるための円形の取付孔４ｂが設けられている。また、両側の開口部４ａ，４ａの縁には、皮革膜５を固定するための止具８を挿入する止孔４ｃが複数個設けられている。
【０００８】
皮革膜５は、キャビネット４の両側の開口部４ａ，４ａを覆うようにそれぞれ１枚ずつ設けられ、両側に設けられた二つの皮革膜５は互いに平行を成している。
皮革膜５は牛革・合皮等からなり、２０Ｈｚ〜５０Ｈｚの低周波数に対応して振動するように設けられている。皮革膜５の最低共振周波数はｆｏ＝（２π）−１（Ｓｏ／Ｍｏ）１／２（ｆｏ：共振周波数［Ｈｚ］，Ｓｏ：皮革膜５の弾性力［ｄｙｎｅ／ｃｍ］Ｍｏ：皮革膜５の実効質量［ｇ］）で得られる。具体的には、両側の皮革膜５，５はそれぞれ表面積１６００ｃｍ２，厚さ０．５ｍｍ，弾性力1×10  6（ｄｙｎｅ／ｃｍ）でキャビネット４に固定されている。
皮革膜５は、その縁がキャビネット４の開口部４ａの縁にボンド付けされ、さらに複数の止具８が皮革膜５を貫通してキャビネット４に設けられた止孔４ｃに挿入されることにより、キャビネット４に固定されている。
【０００９】
スピーカユニット３は、振動板３ａを有する通常のスピーカユニットである。スピーカユニット３は、キャビネット４の下面に設けられた取付孔４ｂに、振動板３ａが下を向くように、嵌め込まれて取り付けられている。ここで、音波が均一に伝播するように、スピーカユニット３はキャビネット４の下面の中心に位置している。
【００１０】
脚６は、キャビネット４の下面の四隅に一本ずつ枢設されている。脚６はキャビネット４と同じ木材・パーティクルボード等で、円柱状に形成されている。４本の脚６は全て同じ形状であり、キャビネット４の下面の対角線上に設けられている。スピーカボックス２を安定させ、音波を均一に反射させるためである。
【００１１】
台座７は４本の脚６の下端に固定されている。台座７は、木材・パーティクルボード等で、四角板状に形成されている。また、スピーカユニット３から発生する音波を均等に反射させるため、台座７の上面は振動板３ａの振動方向（図４矢印ＡＡ）と垂直に構成されている。
【００１２】
以上のように構成された本実施の形態にかかるスピーカ１の作用について、図４に従って説明する。
振動板３ａが上下（矢印ＡＡ）に振動して音を発生させると（矢印ＡＡ方向を振動板３ａの振動方向とする。）スピーカユニット３の振動板３ａの背面方向（上方向）に発生した音波はキャビネット４の内部の空気を振動させる（Ｂ）。空気振動の波動はキャビネット４の内部で伝播し、皮革膜５を振動させる（Ｃ）。そして、皮革膜５の振動により外部に音を発生させる（Ｄ）。皮革膜５は上述したように２０Ｈｚ〜５０Ｈｚの低周波数に対応して振動するように構成されているため、大太鼓のような低音が再生される。
一方、スピーカユニット３の振動板３ａの前面方向（下方向）から発生した音波は取付孔４ｂを通り外部に伝播する（Ｅ）。伝播した音波は台座７に反射する（Ｆ）。このように音を反射させることにより独特の余韻・音色を表現することができる。
【００１３】
本実施の形態に係るスピーカ１は上記の如く構成されているので、以下に掲げる効果を奏する。
対応周波数の低い皮革膜５を設ける単純な構成で、箱成りの振動エネルギーを利用して低音を再生するため製造コストを低くすることができ、皮革膜５を面の全体を覆うように設け（図１に示す）、従来のパッシブラジエータと比べて振動する面積を大きく構成したことにより、スピーカボックス２を小型に維持したまま大太鼓のような臨場感のある低音を再生することができる。
また、両側に設けた皮革膜５，５を左右に向けて配置することで、音を均等に伝播させることができる。
さらに、キャビネット４に木材等を利用し、皮革膜５を設けたことにより本物の和太鼓のような外観を再現でき、撥で皮革膜５を叩くことによりスピーカの演奏に合わせて太鼓として利用することもできる。
【００１４】
本実施形態に係るスピーカ１と従来例の周波数特性を図５に示す。ａは、本実施の形態に係るスピーカ１（皮革膜５の表面積：１６００ｃｍ２（片面），厚さ：０．５ｍｍ，M0：30g、f  0：30Hz、弾性力：1×10  6  ）、ｂは本実施の形態において厚さ１．０ｍｍの皮革膜を用いたスピーカ（皮革膜の表面積：１６００ｃｍ２（片面），厚さ：１．０ｍｍ，M0：50g、f  0：30Hz、弾性力：1.8×10  6）、ｃは従来の密閉型のスピーカの周波数特性を示している。
ａｂｃ総てに、容積５０リットル，幅４０cm×高さ４０cm×奥行４６cmのキャビネットを用い、縦軸に音圧、横軸に周波数を示している。図５より、本実施の形態に係るスピーカ１は、特に周波数２０Ｈｚ〜５０Ｈｚの低音の再生に大きな効果が現れることがわかる。
【００１５】
なお、上記構成部材の数、位置、形状等は上記実施の形態に限定されず、本発明を実施する上で好適な数、位置、形状等にすることができる。
なお、各図において、同一構成要素には同一符号を付している。
【００１６】
上記実施の形態において、振動膜として皮革膜５を用いた場合について説明したが、低周波数で振動するものであればよく、例えば合成皮・和紙等を適用することもできる。
【００１７】
また、上記実施の形態においてキャビネット４は横置き四角筒状としたが、図６に示すような円筒状に形成してもよい。上記の構成により、本物の和太鼓の外観に近づけることができる。
【００１８】
図７に示すように、キャビネット２４を細長い円筒状に構成し、キャビネット２４に複数のスピーカユニット２３を並設させることもできる。かかる構成により対応周波数の異なる複数のスピーカユニット２３（高），２３’（中），２３”（低）を用いてもよい。かかる構成により、幅広い周波数に対応しつつ、低周波数に対応するスピーカユニット２３”に共振して皮革膜２５が振動することにより、低音を強調することができる。
【００１９】
本実施の形態においては密着型のスピーカボックス２について説明したが、キャビネット４にポート等を設けたバスレフ型等他の形式のスピーカボックス２に適用することもできる。
【００２０】
本実施の形態において、スピーカユニット３の振動板３ａの振動方向と平行な２面に皮革膜５を設ける構成としたが、片面のみに設ける構成とすることも可能である。
また、スピーカユニット３の背面側の側面、あるいはスピーカユニット３が設けられている面を皮革膜５で構成しても良い。さらに、皮革膜５の面積を大きくしてより低い周波数に対応可能とするために、全部の側面に皮革膜５を設ける構成とすることも可能である。
【００２１】
また、脚６は、長さ調節可能なものを用いてもよい。かかる構成により４本の脚６の長さを異なるように調節することによってスピーカボックス２を傾け、好適な向きに設定することができる。また、スピーカユニット３の振動板３ａから台座７までの距離やスピーカボックス２の傾きを調節し、振動板３ａの前面から発生した音波が台座７に反射して耳に届く時間や反射の方向を調節して音の余韻を好適にすることができる。
【図面の簡単な説明】
【００２２】
【図１】本実施の形態に係るスピーカ装置の斜視図である。
【図２】本実施の形態に係るスピーカ装置の正面図である。
【図３】本実施の形態に係るキャビネットの斜視図である。
【図４】本実施の形態にかかるスピーカの作用説明図である。
【図５】本実施の形態に係るスピーカと従来技術の周波数特性図である。
【図６】他の実施形態に係るスピーカの斜視図である。
【図７】他の実施形態に係るスピーカの斜視図である。
【符号の説明】
【００２３】
スピーカ              １，１１，２１
スピーカボックス      ２，１２，２２
スピーカユニット      ３，１３，２３，２３，’２３”
振動板                ３ａ
キャビネット          ４，１４，２４
開口部                ４ａ
取付孔                ４ｂ
止孔                  ４ｃ
皮革膜（振動膜）      ５，１５，２５
脚                    ６，１６
台座                  ７，１７
止具                  ８，１８，２８
【図１】
2006093979.tif 000003
【図２】
2006093979.tif 000004
【図３】
2006093979.tif 000005
【図４】
2006093979.tif 000006
【図５】
2006093979.tif 000007
【図６】
2006093979.tif 000008
【図７】
2006093979.tif 000009